(57)【要約】【課題】広色域の画像が表示されていることを、観察者が容易に認識できるようにする画像表示装置を提供する。【解決手段】画像の色信号中に所定の色空間よりも広い色域の色信号があるかを検出する手段と、所定の色空間よりも広い色域の色信号の有無を表示する手段とを備えた画像表示装置を構成する。【選択図】図６
2007286120.tif 000002
【特許請求の範囲】
【請求項１】
表示する画像の色信号中において、所定の色空間よりも広い色域の色信号があるかを検出する手段と、
前記所定の色空間よりも広い色域の色信号の有無を表示する手段とを備えた
ことを特徴とする画像表示装置。
【請求項２】
前記所定の色空間よりも広い色域の色信号の有無を表示する手段により、赤・緑・青の各色の成分の大きさ又は比率が表示されることを特徴とする請求項１に記載の画像表示装置。
【請求項３】
表示する画像の色信号中において、所定の色空間よりも広い色域の色信号があるかを検出し、
前記所定の色空間よりも広い色域の色信号の有無を表示する
ことを特徴とする画像表示方法。
【請求項４】
前記所定の色空間よりも広い色域の色信号の有無を表示する際に、赤・緑・青の各色の成分の大きさ又は比率を表示することを特徴とする請求項３に記載の画像表示方法。
【請求項５】
前記所定の色空間よりも広い色域の色信号の有無を、ｘｙ色度図上における色度点によって表示することを特徴とする請求項３に記載の画像表示方法。
【請求項６】
表示する画像と同時に、前記所定の色空間よりも広い色域の色信号の有無を表示することを特徴とする請求項３に記載の画像表示方法。
【請求項７】
表示する画像の表示画面に、前記所定の色空間よりも広い色域の色信号の有無を表示することを特徴とする請求項６に記載の画像表示方法。
【請求項８】
前記表示画面中の前記画像の表示領域とは別の表示領域に、前記所定の色空間よりも広い色域の色信号の有無を表示することを特徴とする請求項７に記載の画像表示方法。
【請求項９】
前記画像に重ねて、前記所定の色空間よりも広い色域の色信号の有無を表示することを特徴とする請求項７に記載の画像表示方法。
【請求項１０】
前記画像のうち、前記所定の色空間よりも広い色域の色信号を有する部分を、他の部分とは異なる表示とすることを特徴とする請求項７に記載の画像表示方法。
【請求項１１】
表示する画像とは画面を切り替えて、前記所定の色空間よりも広い色域の色信号の有無を表示することを特徴とする請求項３に記載の画像表示方法。
【発明の詳細な説明】
【技術分野】
【０００１】
本発明は、従来の色域よりも広い色域の色を表現することができると共に、表現できるようにした広い色域が表示されていることを容易に判別することができる画像表示装置及び画像表示方法に係わる。
【背景技術】
【０００２】
コンピュータディスプレイ用の標準色空間として規定されているｓＲＧＢ規格は、ＲＧＢの３つの原色の色度点をＩＴＵが推奨するＲｅｃ．７０９の測色パラメータに一致させることによって、ビデオ信号ＲＧＢと測色値の関係を明確に定義したものである。
そして、このｓＲＧＢ規格に準拠したディスプレイ（画像表示装置）では、同じビデオ信号ＲＧＢを与えれば、測色的に同じ色を表示できる。
【０００３】
現在の標準モニターでの表示は、上述のｓＲＧＢ規格の色域で規定されているが、世の中にはｓＲＧＢの色域を超えた色が多々あり、ｓＲＧＢ規格の標準モニターでは表示できない物体色が存在する。例えば、フィルムやデジタルカメラやプリンタ等は、既にｓＲＧＢの範囲を超えている。
そのため、ｓＲＧＢ規格を超えた広色域化に対応した標準モニターの出現が望まれている。
【０００４】
そこで、広色域化に対応するために、ｓＲＧＢ規格よりも広い色空間を有するｓＹＣＣ規格が業界で標準化された。ｓＹＣＣ規格は、ｓＲＧＢ規格からＩＴＵ−Ｒ  ＢＴ．６０１（ハイビジョン用に定義されたＲＧＢからＹＣＣへの変換マトリックスの国際規格）を使って輝度色差分離空間を導いたもので、色空間としてはｓＹＣＣ規格の方が広い色域を有しており、ｓＲＧＢ規格の外側の色も表現することができる。なお、ｓＹＣＣ規格は、静止画での広色域色空間規格である。
【０００５】
一方、カラーテレビジョンの放送方式として採用されているＮＴＳＣ（National Television System Committee）方式の規格は、ｓＲＧＢ規格と比較して、帯域幅が広くなっている。
従って、ｓＹＣＣ規格の色域を実現するためには、ディスプレイ上でＮＴＳＣ方式の色域と同等或いはＮＴＳＣ方式の色域を超える必要がある。
【０００６】
また近年、液晶表示装置（ＬＣＤ：Liquid Crystal Display）やＰＤＰ（プラズマディスプレイパネル）に代表されるように、ディスプレイの薄型化が流れとしてある。
【０００７】
なかでも、液晶表示装置の液晶パネルには、光源として、主に、蛍光管を使ったＣＣＦＬ（冷陰極線管）タイプのバックライト装置が使用されている（例えば、特許文献１参照）。
しかし、ＣＣＦＬは、蛍光管内に水銀を封入するため、環境への影響が考えられることから、バックライト装置の光源として、ＣＣＦＬに代わる光源が求められる。
【０００８】
そこで、ＣＣＦＬに代わる光源として、発光ダイオード（ＬＥＤ）が有望視されている。
この発光ダイオードをバックライト装置の光源とすることにより、カラー液晶表示パネルを介した光の色純度が高くなるため、色再現範囲をＮＴＳＣ方式で規定される程度まで広げることが期待されている。
【０００９】
また、ＣＣＦＬとは違い、発光ダイオードは発光スペクトルにサブピークを持たないため、カラーフィルターとのマッチングに優れ、隣接する色との混色が少ない。
これによって、ＮＴＳＣ比は１００％以上となり、色再現範囲が広がった広色域ディスプレイの実現が可能となった。
【００１０】
使用する発光ダイオードの色の組み合わせは自由であるが、基本的には、３原色の発光ダイオード（赤色発光ダイオード、緑色発光ダイオード、青色発光ダイオード）を用いて、白色及び種々の色を再現する。
【００１１】
【特許文献１】特開２００１−２２２８５号公報
【発明の開示】
【発明が解決しようとする課題】
【００１２】
発光ダイオードを使用して広色域化を実現したディスプレイは、従来の色域のディスプレイと比較すると、特に、赤色やシアン色や黄色の領域で色の差が顕著である。
【００１３】
しかしながら、通常、複数のディスプレイを比較しながら画像を観ることはないため、広色域の画像が表示されていても、その画像が広色域の画像かどうかを、容易に判断することは難しい。
そのため、実際には広色域の画像が表示されていても、そのことが観察者に認識されず、従来の色域が表示されていると観察者が思ってしまうことがある。
【００１４】
上述した問題の解決のために、本発明においては、広色域の画像が表示されていることを、観察者が容易に認識できるようにする画像表示装置及び画像表示方法を提供するものである。
【課題を解決するための手段】
【００１５】
本発明の画像表示装置は、表示する画像の色信号中において所定の色空間よりも広い色域の色信号があるかを検出する手段と、所定の色空間よりも広い色域の色信号の有無を表示する手段とを備えたものである。
【００１６】
本発明の画像表示方法は、表示する画像の色信号中において所定の色空間よりも広い色域の色信号があるかを検出し、所定の色空間よりも広い色域の色信号の有無を表示するものである。
【００１７】
上述の本発明の画像表示装置の構成によれば、表示する画像の色信号中において所定の色空間よりも広い色域の色信号があるかを検出する手段と、所定の色空間よりも広い色域の色信号の有無を表示する手段とを備えたことにより、画像の色信号中に所定の色空間よりも広い色域の色信号の有無を検出してがあるかを検出して、その有無を表示することが可能になる。
これにより、観察者が、画像が所定の色空間よりも広い色域の画像であるかを知ることができる。
【００１８】
上述の本発明の画像表示方法によれば、表示する画像の色信号中において所定の色空間よりも広い色域の色信号があるかを検出し、所定の色空間よりも広い色域の色信号の有無を表示することにより、観察者が、画像が所定の色空間よりも広い色域の画像であるかを知ることができる。
【発明の効果】
【００１９】
上述の本発明によれば、観察者が、画像が所定の色空間よりも広い色域の画像であるかを知ることができるので、広色域の画像が表示されていることを、観察者が容易に認識できる。
【発明を実施するための最良の形態】
【００２０】
まず、本発明の具体的な実施の形態の説明に先立ち、本発明の概要について説明する。
【００２１】
本発明は、画像表示装置において、所定の色空間よりも広い色空間規格で画像を表示すると共に、所定の色空間を超えた広色域の信号の有無を、何らかの形で表示するものである。
このように、広色域の信号の有無を表示することにより、表示されている画像が、所定の色空間（例えば、従来の色空間規格）の画像であるか、或いは、広い色空間規格の画像であるかを、容易に知ることができる。
【００２２】
これにより、広い色空間規格の画像が表示されているときに、広い色空間規格の画像が表示されていることが、リアルタイムで、もしくは随時に、容易にわかる。
【００２３】
本発明では、上述したように、所定の色空間を超えた広色域の信号の有無を表示するため、入力された信号中における広色域の信号の有無を検出する手段を、画像表示の内部又は外部に設ける必要がある。
この広色域の信号の有無を検知する手段は、特に限定されるものではなく、様々な構成が考えられる。例えば、一般的な検知回路の構成等を採用することが可能である。
【００２４】
広色域の信号の有無を表示する位置やタイミング、広色域の信号の有無を具体的に表示する方法は、特に限定されるものではなく、それぞれ様々な構成が考えられる。
【００２５】
本発明を適用する広い色空間規格としては、例えば、ｘｖＹＣＣ規格が挙げられる。このｘｖＹＣＣ規格は、２００６年１月にＩＥＣ（International Electrotechnical Commission ；国際電気標準会議）からＩＥＣ６１９６６−２−４として発行された動画用拡張色空間の国際標準規格である。
なお、その他の広色域信号の規格、例えば、静止画用のｓｃＲＧＢ規格、動画用のＤＣＤＭ規格にも、本発明を適用することが可能である。
【００２６】
また、所定の色空間としては、従来の色空間、例えば、静止画用のｓＲＧＢ規格の色空間や動画用の色域ＢＴ．７０９又はＢＴ．６０１等を採用することができる。
ＢＴ．７０９及びＢＴ．６０１は、正式には、ＩＴＵ−Ｒ  ＢＴ．７０９及びＩＴＵ−Ｒ  ＢＴ．６０１と称されるものである。略語の意味は、それぞれ、ＩＴＵ−Ｒ（International Telecommunication Union Radiocommunicationsector）とＢＴ（Broadcasting service（Television））である。
ＢＴ．７０９はＨＤ（ハイビジョン画質）用の色域であり、ＢＴ．６０１はＳＤ（標準画質）用の色域である。これらの色域は、静止画用信号で規定されているｓＲＧＢ色空間と同じ色域である。
【００２７】
ここで、上述した各規格の信号の信号レベルと、その信号レベルを表現する整数値について説明する。
【００２８】
まず、ｓＲＧＢ規格では、Ｒ，Ｇ，Ｂのそれぞれの色信号を表すために８ビットを使用し、それにより表現することができる０〜２５５の値に、０〜１．０の色信号Ｒ，Ｇ，Ｂの信号レベルが割り当てられるので、それぞれ２５６階調（＝２５５−０＋１）階調で表現される。
【００２９】
次に、静止画の輝度信号及び色差信号についての規格であるｓＹＣＣ規格において、輝度信号Ｙについては、ｓＲＧＢ規格と同様に、その輝度信号Ｙを表現するために８ビットを使用し、それにより表現することができる０〜２５５の値に、０〜１．０の輝度信号Ｙの信号レベルが割り当てられるので、２５６階調で表現される。色差信号Ｃｂ，Ｃｒについては、それぞれの信号を表現するために８ビットを使用し、それにより表現することができる０〜２５５の値に、−０．５〜０．５の色差信号Ｃｂ，Ｃｒの信号レベルが割り当てられるので、２５６階調で表現される。
【００３０】
次に、動画の従来の規格であるＢＴ．６０１及びＢＴ．７０９においては、Ｒ，Ｇ，Ｂのそれぞれの色信号を表現するために８ビットを使用し、それにより表現することができる、０〜２５５よりも狭い、１６〜２３５の整数範囲の整数値に、０〜１．０の色信号Ｒ，Ｇ，Ｂの信号レベルが割り当てられるので、それぞれ２２０（＝２３５−１６＋１）階調で表現される。
また、輝度信号Ｙを表現するために８ビットを使用し、それにより表現することができる、０〜２５５よりも狭い、１６〜２３５の整数範囲の整数値に、０〜１．０の輝度信号の信号レベルが割り当てられるので、それぞれ２２０階調で表現される。
そして、色差信号Ｃｂ，Ｃｒのそれぞれを表現するために８ビットを使用し、それにより表現することができる、０〜２５５よりも狭い、１６〜２４０の整数範囲の整数値に、−０．５〜０．５の色差信号の信号レベルが割り当てられるので、それぞれ２２５（＝２４０−１６＋１）階調で表現される。
さらに、ＢＴ．６０１及びＢＴ．７０９では、信号を表現する８ビットで表される０〜２５５のうちの０と２５５は、使用しない。
【００３１】
次に、上述したｘｖＹＣＣ規格においては、ＢＴ．７０９よりも、色差信号Ｃｂ，Ｃｒの信号レベルが割り当てられる整数範囲を拡張する。
輝度信号Ｙは、ＢＴ．７０９と同様に定義される。即ち、輝度信号Ｙを表現するために８ビットを使用し、それにより表現することができる、０〜２５５よりも狭い、１６〜２３５の整数範囲の整数値に、０〜１．０の輝度信号Ｙの信号レベルが割り当てられるので、ＢＴ．７０９と同様に、２２０階調で表現される。
一方、色差信号Ｃｂ，Ｃｒのそれぞれの表現をするために８ビットを使用し、それにより表現することができる０〜２５５よりも狭い、１６〜２４０の整数範囲の整数値に、−０．５〜０．５の色差信号の信号レベルが割り当てられる。この点においては、ＢＴ．７０９と同様である。
ｘｖＹＣＣ規格においては、色差信号Ｃｂ，Ｃｒの信号レベルが割り当てられる整数範囲が、ＢＴ．７０９で信号が割り当てられている１６〜２４０の整数範囲を包含する、１〜２５５の整数範囲に拡張されている。即ち、−０．５〜０．５の信号レベルの範囲の色差信号Ｃｂ，Ｃｒが、それぞれ、１６〜２４０の２２５階調の整数範囲に割り当てられており、その１６〜２４０の整数範囲に対する信号レベルの割り当てが同様になるようにして、さらに１〜１５の整数範囲と、２４１〜２５４の整数範囲にも、信号レベルが割り当てられている。
その結果、１〜２５４の整数範囲に、−０．５７〜０．５６の信号レベルが割り当てられる。従って、−０．５７〜０．５６の信号レベルの範囲の色差信号Ｃｂ，Ｃｒが、それぞれ２５４階調に分けて表現される。
以上のように、ｘｖＹＣＣ規格においては、ＢＴ．７０９の色差信号Ｃｂ，Ｃｒの信号レベルである−０．５〜０．５を包含する−０．５７〜０．５６の範囲の信号レベルの色差信号Ｃｂ，Ｃｒを扱うことができる。
従って、ｘｖＹＣＣ規格においては、ＢＴ．７０９で表現が可能な色よりも広色域の色を表現することができる。
【００３２】
なお、本発明の「所定の色空間」は、上述した従来公知の色空間や色域に限定されるものではなく、従来公知でないものを設定することも可能である。
表示する広色域の画像の色空間と比較して、ある程度以上狭い範囲である、任意の色空間や色域を、本発明の「所定の色空間」として設定することが可能である。
【００３３】
次に、本発明の一実施の形態を説明する。
本実施の形態では、本発明を、上述したｘｖＹＣＣ規格に適用する。また、上述した所定の色空間として、従来の動画用の色域であるＢＴ．７０９を採用する。
そして、所定の色空間（ＢＴ．７０９）を超える広色域の画像が画像表示装置に表示されているときに、広色域の信号の有無を表示するものである。
【００３４】
ｘｖＹＣＣ規格においては、前述したように、輝度信号Ｙは、ＢＴ．７０９の輝度信号と同一である。また、色差信号Ｃｂ，Ｃｒのうち、１６〜２４０の整数範囲に割り当てられる−０．５〜０．５の信号レベルについては、ＢＴ．７０９の色差信号Ｃｂ，Ｃｒと同一である。
従って、ｘｖＹＣＣ規格の輝度信号Ｙ及び色差信号Ｃｂ，Ｃｒは、ＢＴ．７０９に準拠した装置であれば扱うことができ、例えば、ＢＴ．７０９で表現可能な色の範囲で画像の表示を行うことができる。
【００３５】
ｘｖＹＣＣ規格においては、その色差信号Ｃｂ，Ｃｒが、ＢＴ．７０９の色差信号Ｃｂ，Ｃｒがとり得る−０．５〜０．５の範囲よりも広い−０．５７から０．５６の範囲の信号レベルをとり得るので、そのようなｘｖＹＣＣ規格の輝度信号Ｙ及び色信号Ｃｂ，Ｃｒを、色信号Ｒ，Ｇ，Ｂに変換した場合には、その色信号Ｒ，Ｇ，Ｂのそれぞれの信号レベルは、いずれも０〜１．０よりも広い範囲の値、即ち、０未満（負の値）や１を超える値をとり得る。なお、ここでの０とは、ＢＴ．７０９に準拠した色信号Ｒ，Ｇ，Ｂの最小値であり、１とは、ＢＴ．７０９に準拠した色信号Ｒ，Ｇ，Ｂの最大値である。
【００３６】
以上のように、ｘｖＹＣＣ規格においては、負の値や１を超える値の色信号Ｒ，Ｇ，Ｂを扱うことができ、そのような色信号Ｒ，Ｇ，Ｂと、０〜１．０の範囲の輝度信号Ｙ及び−０．５７〜０．５６の範囲の色差信号Ｃｂ，Ｃｒとの間の相互変換が行われる。
【００３７】
ところで、例えば、画像を撮影し、その画像の色信号Ｒ，Ｇ，Ｂを、ｘｖＹＣＣ規格の輝度信号Ｙ及び色差信号Ｃｂ，Ｃｒに変換して処理する場合、そのｘｖＹＣＣ規格の輝度信号Ｙ及び色差信号Ｃｂ，Ｃｒを、ＢＴ．７０９に準拠した装置で扱うことができるようにするには、ｘｖＹＣＣ規格の輝度信号Ｙ及び色差信号Ｃｂ，Ｃｒに変換する色信号Ｒ，Ｇ，Ｂを、ＢＴ．７０９の表示機構の光電変換特性に従った色信号Ｒ，Ｇ，Ｂに変換（γ（ガンマ）補正）する必要がある。
【００３８】
一方、ＢＴ．７０９では、その色信号Ｒ，Ｇ，Ｂがとり得る０〜１．０の範囲については、光電変換特性が定義されているが、負の値と１．０を超える値については、光電変換特性が定義されていない。
そして、ｘｖＹＣＣ規格の輝度信号Ｙ及び色差信号Ｃｂ，Ｃｒに変換する色信号Ｒ，Ｇ，Ｂは、上述したように、負の値と１．０を超える値をとり得るので、そのような負の値や１．０を超える値の色信号Ｒ，Ｇ，Ｂを、どのような光電変換特性に従って変換するかが問題となる。
【００３９】
そこで、本実施の形態では、例えば、ＢＴ．７０９で規定されている光電変換特性を、そのまま１．０を超える領域でも適用するとともに、入力が負の値の場合は原点に対して点対称に拡張し、その拡張によって得られる光電変換特性を採用することとする。
【００４０】
ここで、ＢＴ．７０９で規定されている光電変換特性を図９Ａに示し、本実施の形態で採用する光電変換特性を図９Ｂに示す。
【００４１】
図９Ａに示すＢＴ．７０９で規定されている光電変換特性は、入力された色信号Ｒ，Ｇ，Ｂを、色信号Ｒ’，Ｇ’，Ｂ’に変換する際に、色信号Ｒを下記の式（１）に従って色信号Ｒ’に変換するものである。
【００４２】
【数１】
2007286120.tif 000003
【００４３】
ここで、色信号Ｒと色信号Ｒ’との間の光電変換特性は、ＢＴ．７０９に準拠した色信号Ｒの最小値から最大値、即ち、０から１．０までの範囲で定義されている。色信号Ｇと色信号Ｇ’との間の光電変換特性、及び色信号Ｂと色信号Ｂ’との間の光電変換特性についても、同様に０から１．０までの範囲で定義され、式（１）に従って光電変換が行われる。
【００４４】
図９Ｂに示す本実施の形態で採用する光電変換特性は、入力信号（色信号Ｒ，Ｇ，Ｂ）が、０〜１．０の範囲については、ＢＴ．７０９における光電変換特性と同一である。
即ち、図９Ｂの本実施の形態の光電変換特性のうちの、入力信号が０〜１．０の範囲は、ＢＴ．７０９で定義されているように、式（１）と同様に表される。
また、図９Ｂの本実施の形態の光電変換特性のうちの、入力信号が１．０を超える範囲は、式（１）の０．０１８〜１．０の範囲をそのまま拡張したものとなっている。さらに、図９Ｂの本実施の形態の光電変換特性のうちの、入力信号が負の範囲は、式（１）の光電変換特性を、原点に対して対称に拡張したものとなっている。
【００４５】
従って、図９Ｂに示す本実施の形態の光電変換特性は、入力された色信号Ｒ，Ｇ，Ｂを、色信号Ｒ’，Ｇ’，Ｂ’に変換する際に、色信号Ｒを下記の式（２）に従って色信号Ｒ’に変換するものである。
【００４６】
【数２】
2007286120.tif 000004
【００４７】
色信号Ｇと色信号Ｇ’との間の光電変換特性、及び色信号Ｂと色信号Ｂ’との間の光電変換特性についても、同様に式（２）に従って光電変換が行われる。
【００４８】
次に、本実施の形態によって表現することができる色について説明する。
ＢＴ．７０９がカバーする色空間は、マンセルカラーカスケード（Munsell Color Cascade ）と呼ばれる高彩度色標の７６８色のうち、５５％に過ぎない。
これに対して、本実施の形態で採用しているｘｖＹＣＣ規格の色空間は、マンセルカラーカスケードの７６８色を１００％カバーしている。
即ち、本実施の形態では、ｘｖＹＣＣ規格を採用していることにより、広範囲の色空間をカバーし、広色域の色を表現することができる。
【００４９】
また、負の値の色信号の概念を、図１０のｘｙ色度図を参照して説明する。
図１０において、可視光線全体１０１のうち、従来の色域（ｓＲＧＢ）１０２の外側に、それぞれ、赤の負の色信号領域１０３（Ｒ＜０）、緑の負の色信号領域１０４（Ｇ＜０）、青の負の色信号領域１０５（Ｂ＜０）が分布している。
そして、マイナス表示（負の色信号）は、その原色に対して補色を示す。例えば、広色域の信号がシアン（Ｃｙ）の色であれば、赤の負の色信号領域１０３（Ｒ＜０）となる。
【００５０】
また、ｘｖＹＣＣ規格及び従来の規格のそれぞれの色空間を二次元で表現して、図１１に示す。縦軸は輝度信号Ｙであり、横軸は色差信号Ｃｂ，Ｃｒである。
図１１の中央の菱形の内側の領域は、ＢＴ．７０９規格で規定される色空間である。この色空間の内部は、０＜Ｒ’，Ｇ’，Ｂ’＜１を満たす。
ｓＹＣＣ規格で規定される色空間は、ＢＴ．７０９規格の菱形の領域から、Ｒ’，Ｇ’，Ｂ’＜０及び１＜Ｒ’，Ｇ’，Ｂ’の領域に拡張され、菱形の領域に上下左右で接する長方形の領域となっている。
ｘｖＹＣＣ規格の色空間は、さらに、輝度信号Ｙ及び色差信号Ｃｂ，Ｃｒにおいても負の値から１を超える値まで拡張され、一番外側の長方形の領域となっている。
図１１から、本実施の形態ではｘｖＹＣＣ規格を採用しているので、従来のＢＴ．７０９等の規格よりも広い色空間を表現できることがわかる。
【００５１】
次に、本実施の形態における、実際に構成するシステムの一形態を説明する。
本形態のシステムは、カメラ等の撮像装置と、テレビジョン受像機やパソコン用モニター等の画像表示装置とを備えて、構成される。
これら撮像装置と画像表示装置との間は、記録媒体、有線又は無線のネットワーク、放送電波等により、信号の供給がなされ、撮像装置によって得られた画像が画像表示装置に表示される。
【００５２】
撮像装置の構成のブロック図を図１に示す。
この撮像装置２０は、操作部２１、撮影部２２、Ａ／Ｄ変換部２３、原色変換部２４、光電変換部２５、色信号変換部２６、補正部２７、エンコーダ２８、制御部２９、記録部３０、通信部３１により構成される。
【００５３】
操作部２１は、撮像装置２０に対して各種のコマンドが入力される際に操作されるものであり、操作により指示された処理の実行を示す信号を、それぞれの処理を行うブロックに供給する。例えば、操作部２１は、画像の撮影に関する信号を、撮影部２２へ供給する。また、操作部２１は、撮影部２２により撮影された画像の信号（画像信号）の出力先に関する情報を、制御部２９へ供給する。
【００５４】
撮影部２２は、操作部２１からの指示に従って、撮影処理を開始し、又は停止する。また、撮影部２２は撮影した画像の画像信号をＡ／Ｄ変換部２３に供給する。ここで、撮影部２２は、例えば、ＣＭＯＳ型固体撮像素子やＣＣＤ固体撮像素子等で構成され、画像信号として、Ｒ，Ｇ，Ｂの色信号を出力する。
また、撮影部２２の原色点は、広色域の色の情報を伝達するために、ＢＴ．７０９の原色点よりも広色域の位置にあるようにする。
【００５５】
Ａ／Ｄ変換部２３は、撮影部２２から供給された色信号をＡ／Ｄ変換し、原色変換部２４に供給する。
【００５６】
原色変換部２４は、Ａ／Ｄ変換部２３から供給された色信号を、ＢＴ．７０９の原色に基づく色信号Ｒ，Ｇ，Ｂに原色変換し、光電変換部２５に供給する。
【００５７】
原色変換部２４での原色変換において得られる色信号Ｒ，Ｇ，Ｂは、撮影部２２の原色点がＢＴ．７０９の原色点と異なる場合、負の値や、１を超える値をとり得る。
【００５８】
光電変換部２５は、原色変換部２４から供給された色信号Ｒ，Ｇ，Ｂを、本実施の形態の光電変換特性に従って、色信号Ｒ’，Ｇ’，Ｂ’に変換し、色信号変換部２６に供給する。
即ち、光電変換部２５は、原色変換部２４からの色信号Ｒ，Ｇ，Ｂを、前述した式（２）に従って色信号Ｒ’，Ｇ’，Ｂ’に変換し、色信号変換部２６に供給する。
ここで、式（２）は、色信号Ｒを色信号Ｒ’に変換する式であるが、色信号Ｇ，Ｂも、それぞれ、式（２）の色信号Ｒと同様に、色信号Ｇ’，Ｂ’に変換される。
なお、光電変換部２５において、色信号Ｒ，Ｇ，Ｂを、本実施の形態の光電変換特性に従って変換することにより得られる色信号Ｒ’，Ｇ’，Ｂ’のうちの０〜１．０の範囲は、ＢＴ．７０９規格と同じである。
【００５９】
色信号変換部２６は、光電変換部２５から供給された色信号Ｒ’，Ｇ’，Ｂ’を、輝度信号Ｙ’及び色差信号Ｃｂ’，Ｃｒ’に変換する。さらに、色信号変換部２６は、補正部２７を内蔵している。この補正部２７は、輝度信号Ｙ’を０〜１．０の数値範囲の輝度信号に補正し、色差信号Ｃｂ’とＣｒ’を、−０．５７〜０．５６の数値範囲の色差信号に補正して、エンコーダ２８に供給する。
【００６０】
即ち、色信号変換部２６は、補正部２７にて、例えば、０より小さい輝度信号Ｙ’を０に補正し、１．０より大きい輝度信号Ｙ’を１．０に補正する。また、−０．５７より小さい色差信号Ｃｂ’，Ｃｒ’を−０．５７に補正し、０．５６より大きい色差信号Ｃｂ’，Ｃｒ’を０．５６に補正して、その補正後の輝度信号Ｙ’を、８ビットで表現可能な０〜２５５の整数範囲より狭い１６〜２３５の整数範囲の整数値に割り当て、その整数値である輝度信号Ｙ’を輝度信号としてエンコーダ２８に供給し、さらに、補正後の色差信号Ｃｂ’，Ｃｒ’を、それぞれ、８ビットで表現可能な０〜２５５の整数範囲より狭い１〜２５４の整数範囲の整数値に割り当て、その整数値である色差信号Ｃｂ’と色差信号Ｃｒ’を色差信号として、エンコーダ２８に供給する。
【００６１】
エンコーダ２８は、色信号変換部２６から供給された８ビットの輝度信号Ｙ’と色差信号Ｃｂ’，Ｃｒ’を、例えばＭＰＥＧ等の所定のフォーマットに従ってエンコードし、その結果得られるエンコードデータを、制御部２９に供給する。
【００６２】
制御部２９は、操作部２１からの指示に従い、エンコーダ２８から供給されたエンコードデータを記録部３０又は通信部３１に供給する。
【００６３】
記録部３０は、制御部２９から供給されたエンコードデータを、記録媒体（ディスクやメモリ等）に記録する。通信部３１は、制御部２９から供給されたエンコードデータを、ネットワークを介して送信する。
【００６４】
次に、図２のフローチャートを参照して、図１の撮像装置２０における撮影記録処理について説明する。
【００６５】
操作部２１は、撮影開始の指示を撮影部２２に対して行うと同時に、制御部２９に対して、記録開始の指示、つまり、記録部３０に記録処理を行わせるための指示を行って、撮影記録処理を開始する。
【００６６】
ステップＳ１において、撮影部２２は、撮影対象を撮影して画像信号を取得し、画像信号としてＲ，Ｇ，Ｂの色信号を、Ａ／Ｄ変換部２３へ供給して、ステップＳ２へ進む。
【００６７】
ステップＳ２において、Ａ／Ｄ変換部２３は、撮影部２２から供給された色信号をＡ／Ｄ変換し、原色変換部２４に供給して、ステップＳ３へ進む。
【００６８】
ステップＳ３において、原色変換部２４は、Ａ／Ｄ変換部２３から供給された色信号を、ＢＴ．７０９の原色に基づく色信号Ｒ，Ｇ，Ｂに原色変換し、光電変換部２５に供給して、ステップＳ４へ進む。
【００６９】
ステップＳ４において、光電変換部２５は、原色変換部２４から供給された色信号Ｒ，Ｇ，Ｂを、本実施の形態の光電変換特性に従って、色信号Ｒ’，Ｇ’，Ｂ’に変換し、色信号変換部２６に供給して、ステップＳ５へ進む。
【００７０】
ステップＳ５において、色信号変換部２６は、光電変換部２５から供給された色信号Ｒ’，Ｇ’，Ｂ’を、本実施の形態の方式に準拠した輝度信号Ｙ’と色差信号Ｃｂ’，Ｃｒ’に変換し、ステップＳ６へ進む。
【００７１】
ステップＳ６において、色信号変換部２６は、補正部２７にて、ステップＳ５の処理で得られた輝度信号Ｙ’と色差信号Ｃｂ’，Ｃｒ’のうち、無効な値の輝度信号Ｙ’と色差信号Ｃｂ’，Ｃｒ’を補正する。
即ち、補正部２７は、ステップＳ５の処理で得られた輝度信号Ｙ’と色差信号Ｃｂ’，Ｃｒ’を、それぞれ、本実施の形態の方式にて定義される０乃至１．０の数値範囲の輝度信号Ｙ’と、−０．５７〜０．５６の数値範囲の色差信号Ｃｂ’，Ｃｒ’に補正する。例えば、０より小さい輝度信号Ｙ’を０に補正し、１．０より大きい輝度信号Ｙ’を１．０に補正する。また、−０．５７より小さい色差信号Ｃｂ’，Ｃｒ’を−０．５７に補正し、０．５６より大きい色差信号Ｃｂ’，Ｃｒ’を０．５６に補正する。そして、補正後の、本実施の形態の方式に準拠した輝度信号Ｙ’と色差信号Ｃｂ’，Ｃｒ’を８ビットで表現して、エンコーダ２８へ供給し、ステップＳ７へ進む。
【００７２】
ステップＳ７において、エンコーダ２８は、色信号変換部２６から供給された輝度信号Ｙ’と色差信号Ｃｂ’，Ｃｒ’を、例えば、ＭＰＥＧ等の所定のフォーマットに従ってエンコードし、その結果得られるエンコードデータを、制御部２９に供給して、ステップＳ８へ進む。
【００７３】
ステップＳ８において、制御部２９は、エンコーダ２８から供給されたエンコードデータを記録部３０に供給する。記録部３０は、供給されたエンコードデータを記録媒体に記録し、ステップＳ９へ進む。
【００７４】
ステップＳ９において、操作部２１は、撮影記録処理の停止が要求されたか否かの判定を行う。
【００７５】
ステップＳ９において、撮影記録処理の停止が要求されていないと判定された場合、ステップＳ１へ戻り上述の処理が繰り返される。
また、ステップＳ９において、撮影記録処理の停止が要求されたと判定された場合、操作部２１は、撮影部２２に対して撮影停止の指示を行い、さらに、制御部２９に対して記録停止の指示を行って、撮影記録処理を停止させる。
【００７６】
次に、画像表示装置の構成のブロック図を図３に示す。
図３に示す画像表示装置４０は、画像信号入力部４１、輝度・色差信号変換部４２、逆光電変換部４３、原色変換部４４、色信号補正部４５、固有γ特性補正部４６、Ｄ／Ａ変換部４７、及び表示機構４８を有して構成されている。
【００７７】
本実施の形態では、広色域の信号の有無を表示するので、画像表示装置４０に、さらに、広色域信号検出部５１、広色域信号表示作製部５２、並びに広色域信号表示機構５３を有している。
【００７８】
画像信号入力部４１は、画像表示装置４０に供給され入力されるエンコードデータを取得する。さらに、画像信号入力部４１は、そのエンコードデータを、例えば、ＭＰＥＧ等の所定のフォーマットに従ってデコードし、そのデコードにより得られる、ＢＴ．７０９に準拠した８ビットの輝度信号Ｙ’と色差信号Ｃｂ’，Ｃｒ’を、輝度・色差信号変換部４２に供給する。
【００７９】
輝度・色差信号変換部４２は、画像信号入力部４１から供給された輝度信号Ｙ’と色差信号Ｃｂ’，Ｃｒ’を、本実施の形態の光電変換特性に従った色信号Ｒ’，Ｇ’，Ｂ’に変換し、逆光電変換部４３に供給する。
【００８０】
即ち、輝度・色差信号変換部４２は、８ビットで表現可能な１６乃至２３５の整数範囲の整数値の輝度信号Ｙ’を、０〜１．０の数値範囲で表現される値とするとともに、８ビットで表現可能な１〜２５４の整数範囲の整数値の色差信号Ｃｂ’，Ｃｒ’のそれぞれを、−０．５７〜０．５６の数値範囲で表現される値とし、その０〜１．０の数値範囲で表される輝度信号Ｙ’と、−０．５７〜０．５６の数値範囲で表現される色差信号Ｃｂ’，Ｃｒ’を、色信号Ｒ’，Ｇ’，Ｂ’に変換する。
【００８１】
逆光電変換部４３は、輝度・色差信号変換部４２から供給された色信号Ｒ’，Ｇ’，Ｂ’を、本請求方式の光電変換特性に従って変換する。即ち、逆光電変換部４３は、輝度・色差信号変換部４２から供給された色信号Ｒ’，Ｇ’，Ｂ’を、式（３）に従い、色信号Ｒ，Ｇ，Ｂに変換し、原色変換部４４に供給する。
【００８２】
【数３】
2007286120.tif 000005
【００８３】
逆光電変換部４３は、輝度・色差信号変換部４２から供給された色信号Ｒ’，Ｇ’，Ｂ’に対して、撮像装置２０（図１）の光電変換部２５にて行われる処理の逆の処理を行うことにより、輝度・色差信号変換部４２から供給された色信号Ｒ’，Ｇ’，Ｂ’を、撮像装置２０の光電変換部２５にて変換される前の色信号Ｒ，Ｇ，Ｂに戻す。
【００８４】
なお、式（３）は、色信号Ｒ’を色信号Ｒに変換する式であるが、式（３）の色信号Ｒ’と同様に、色信号Ｇ’，Ｂ’も、それぞれ、色信号Ｇ，Ｂに変換される。
【００８５】
原色変換部４４は、逆光電変換部４３から供給された色信号Ｒ，Ｇ，Ｂを、表示機構４８の原色に基づく色信号Ｒｔｖ，Ｇｔｖ，Ｂｔｖに原色変換し、色信号補正部４５に供給する。
【００８６】
色信号補正部４５は、原色変換部４４から供給された色信号Ｒｔｖ，Ｇｔｖ，Ｂｔｖのうち、表示機構４８において表示不可能な色信号に対して補正を行い、固有γ特性補正部４６に供給する。即ち、色信号補正部４５は、例えば、原色変換部４４から供給された色信号Ｒｔｖ，Ｇｔｖ，Ｂｔｖの信号レベルが、表示機構４８において表示可能な色信号の信号レベルの範囲に含まれない場合、その色信号Ｒｔｖ，Ｇｔｖ，Ｂｔｖを、表示機構４８において表示可能な色信号の信号レベルの範囲の色信号に補正する。
【００８７】
例えば、色信号補正部４５にて行う補正処理では、供給された色信号Ｒｔｖ，Ｇｔｖ，Ｂｔｖが負の値であった場合、その色信号Ｒｔｖ，Ｇｔｖ，Ｂｔｖを、０に補正する。
【００８８】
また、色信号補正部４５にて行う補正処理では、原色変換部４４から供給された色信号Ｒｔｖ，Ｇｔｖ，Ｂｔｖが、表示機構４８において表示不可能な色信号であった場合、その色信号Ｒｔｖ，Ｇｔｖ，Ｂｔｖを、その色信号Ｒｔｖ，Ｇｔｖ，Ｂｔｖとの色差が最小になる、表示機構４８において表示可能な色域内の色信号に補正するようにしても良いし、輝度を維持したまま彩度を低下させた色信号に補正するようにしても良い。
【００８９】
固有γ特性補正部４６は、色信号補正部４５から供給された色信号Ｒｔｖ，Ｇｔｖ，Ｂｔｖを、画像表示装置４０の表示機構４８の固有のγ特性を補正するため、表示機構４８の色信号Ｒ’ｔｖ，Ｇ’ｔｖ，Ｂ’ｔｖに変換し、Ｄ／Ａ変換部４７に供給する。
【００９０】
Ｄ／Ａ変換部４７は、固有γ特性補正部４６から供給された色信号Ｒ’ｔｖ，Ｇ’ｔｖ，Ｂ’ｔｖをＤ／Ａ変換し、表示機構４８に供給する。
【００９１】
表示機構４８は、例えば、陰極線管（ＣＲＴ）や液晶表示装置、プラズマディスプレイ等で構成され、Ｄ／Ａ変換部４７から供給された色信号Ｒ’ｔｖ，Ｇ’ｔｖ，Ｂ’ｔｖに基づいて画像を表示する。表示機構４８は、本実施の形態の方式に対応しており、従来の表示機構に比べて、広色域の色を表現（表示）することができるものとなっている。
【００９２】
広色域信号検出部５１は、原色変換部４４で得た色信号Ｒｔｖ，Ｇｔｖ，Ｂｔｖに、広色域の信号（本実施の形態の場合、負の値の信号や１．０を超える値の信号）があるかどうかを検出する。そして、広色域の信号がある場合には、広色域信号表示作製部５２に指示を与えて、広色域信号表示機構５３に表示する画像信号又は信号を作製させる。
【００９３】
広色域信号表示作製部５２は、広色域信号検出部５１における検出結果に基いて、広色域信号表示機構５３に表示する画像信号又は信号を作製する。
【００９４】
広色域信号表示機構５３は、広色域信号表示作製部５２で作製された画像信号又は信号を使用して、画像等を表示する。
【００９５】
なお、図３では、原色変換部４４から、色信号補正部４５への流れと、広色域信号検出部５１への流れとが分岐しているが、原色変換部４４と色信号補正部４５との間に広色域信号検出部５１を設けて、広色域信号検出部５１において分岐させるようにしてもよい。
また、広色域信号表示機構５３が表示機構４８とは別になっているが、広色域信号表示機構５３を表示機構４８に包含させても構わない。
【００９６】
次に、図４のフローチャートを参照して、図３の画像表示装置４０における画像表示処理について説明する。
【００９７】
ステップＳ２１において、画像信号入力部４１は、画像信号を取得する。つまり、画像信号入力部４１は、入力されたエンコードデータを、例えば、ＭＰＥＧに従ってデコードし、そのデコードにより得られる、本実施の形態の方式に従った輝度信号Ｙ’と色差信号Ｃｂ’，Ｃｒ’を、輝度・色差信号変換部４２へ供給して、ステップＳ２２へ進む。
【００９８】
ステップＳ２２において、輝度・色差信号変換部４２は、画像信号入力部４１から供給された輝度信号Ｙ’と色差信号Ｃｂ’，Ｃｒ’を、色信号Ｒ’，Ｇ’，Ｂ’に変換し、逆光電変換部４３に供給して、ステップＳ２３へ進む。
【００９９】
ステップＳ２３において、逆光電変換部４３は、輝度・色差信号変換部４２から供給された色信号Ｒ’，Ｇ’，Ｂ’を、本実施の形態の方式の式（３）に従って変換し、その結果得られる色信号Ｒ，Ｇ，Ｂを、原色変換部４４に供給して、ステップＳ２４へ進む。
【０１００】
ステップＳ２４において、原色変換部４４は、逆光電変換部４３から供給された色信号Ｒ，Ｇ，Ｂを、表示機構４８の原色に基づく色信号Ｒｔｖ，Ｇｔｖ，Ｂｔｖに原色変換し、色信号補正部４５に供給して、ステップＳ２５へ進む。
【０１０１】
ステップＳ２５において、色信号補正部４５は、原色変換部４４から供給された色信号Ｒｔｖ，Ｇｔｖ，Ｂｔｖのうち、表示不可能な色信号を、表示可能な色信号に補正し、固有γ特性補正部４６に供給して、ステップＳ２６へ進む。
【０１０２】
ステップＳ２６において、固有γ特性補正部４６は、色信号補正部４５から供給された色信号Ｒｔｖ，Ｇｔｖ，Ｂｔｖを、画像表示装置４０の固有のγ特性に従って、色信号Ｒ’ｔｖ，Ｇ’ｔｖ，Ｂ’ｔｖに変換し、Ｄ／Ａ変換部４７に供給して、ステップＳ２７へ進む。
【０１０３】
ステップＳ２７において、Ｄ／Ａ変換部４７は、固有γ特性補正部４６から供給された色信号Ｒ’ｔｖ，Ｇ’ｔｖ，Ｂ’ｔｖをＤ／Ａ変換し、表示機構４８へ供給して、ステップＳ２８へ進む。
【０１０４】
ステップＳ２８において、表示機構４８は、Ｄ／Ａ変換部４７から供給された色信号Ｒ’ｔｖ，Ｇ’ｔｖ，Ｂ’ｔｖに基いて、画像を表示する。その後、処理は、ステップＳ２１に戻り、上述した処理を繰り返す。
【０１０５】
以上のように、撮像装置２０及び画像表示装置４０においては、色差信号Ｃｂ，Ｃｒの有効数値（信号幅）を、ＢＴ．７０９よりも拡張した本実施の形態の方式を採用することにより、ＢＴ．７０９では表現できない広色域の色を再現することができる。
【０１０６】
なお、撮像装置２０で撮影された画像の輝度信号Ｙは、ＢＴ．７０９に準拠しており、さらに、色差信号Ｃｂ，Ｃｒも、−０．５〜０．５の範囲では、ＢＴ．７０９に準拠しているので、その輝度信号Ｙ及び色差信号Ｃｂ，ＣｒをＢＴ．７０９に準拠した画像表示装置にて処理した場合は、ＢＴ．７０９の色域にて、画像を表示することができる。
【０１０７】
また、撮像装置２０の原色変換部２４と色信号変換部２６のそれぞれは、３×３のマトリックス演算を行う回路で実現し、光電変換部２５は、１次元のＬＵＴ（ルック・アップ・テーブル）等で実現することができるが、原色変換部２４、光電変換部２５、及び色信号変換部２６の全ては、３次元のＬＵＴで実現することもできる。
【０１０８】
さらに、画像表示装置４０の輝度・色差信号変換部４２と原色変換部４４のそれぞれは、３×３のマトリックス演算を行う回路で実現し、逆光電変換部４３と固有γ特性補正部４６のそれぞれは、１次元のＬＵＴ等で実現することができるが、輝度・色差信号変換部４２、逆光電変換部４３、原色変換部４４、及び固有γ特性補正部４６の全ては、３次元のＬＵＴで実現することもできる。
【０１０９】
次に、図５のフローチャートを参照して、図３の画像表示装置４０における広色域信号表示処理について説明する。なお、図５のフローチャートでは、広色域信号表示作製部５２で画像信号を作製して、広色域信号表示機構５３で画像を作製する場合のフローチャートを示している。
【０１１０】
ステップＳ３１において、広色域信号検出部５１は、原色変換部４４から色信号Ｒｔｖ，Ｇｔｖ，Ｂｔｖを取得して、ステップＳ３２へ進む。
【０１１１】
ステップＳ３２において、広色域信号検出部５１は、広色域信号があるか否かの判定を行う。
ステップＳ３２において、広色域信号がないと判定された場合は、広色域信号表示処理を停止する。また、ステップＳ３２において、広色域信号があると判定された場合は、広色域信号検出部５１は、広色域信号表示作製部５２に画像信号の作製の指示を与え、ステップＳ３３へ進む。
【０１１２】
ステップＳ３３において、広色域信号表示作製部５２は、広色域信号表示用の画像信号を作製し、広色域信号表示機構５３へ供給して、ステップＳ３４へ進む。
【０１１３】
ステップＳ３４において、広色域信号表示機構５３は、広色域信号表示作製部５２から供給された画像信号に基いて、画像を表示する。
【０１１４】
なお、広色域信号表示機構５３において、画像以外の表示（例えば、発光ダイオードの点滅）を行う構成であっても、図５のフローチャートと同様の流れで処理が行われる。
【０１１５】
本実施の形態では、ＢＴ．７０９を拡張した方式について説明したが、他の規格、即ち、例えば、ＢＴ．６０１を同様に拡張することも可能である。但し、ＢＴ．６０１を拡張した方式では、信号の変換処理に用いられる行列がＢＴ．７０９を拡張した方式の行列とは異なる。
【０１１６】
さらに、同様の拡張は、ある数値範囲の色差信号を、所定の複数ビットで表現可能な整数範囲より狭い整数範囲の整数値に割り当てて表現する、他の規格についても行うことが可能である。
【０１１７】
上述した一連の処理は、専用のハードウェアにより実行させることもできるが、ソフトウェアにより実行させることもできる。
【０１１８】
上述した一連の処理をソフトウェアにより実行させる場合には、そのソフトウェアを構成するプログラムが、専用のハードウェアに組み込まれているコンピュータ、又は各種のプログラムをインストールすることで各種の機能を実行することが可能な、例えば、汎用のパーソナルコンピュータに、記録媒体等により、インストールされる。
【０１１９】
このとき、記録媒体としては、パーソナルコンピュータとは別に、ユーザにプログラムを提供するために配布される、プログラムが記録されている磁気ディスク、光ディスク、光磁気ディスク、もしくは半導体メモリ等よりなるパッケージメディアにより構成されるだけでなく、パーソナルコンピュータに予め組み込まれた状態でユーザに提供される、プログラムが記録されているＲＯＭや、記録部に含まれるハードディスク等で構成される。
【０１２０】
なお、上述した一連の処理を実行させるプログラムは、必要に応じてルータ、モデム等のインタフェースを介して、ローカルエリアネットワーク、インターネット、デジタル衛星放送といった、有線又は無線の通信媒体を介してコンピュータにインストールされるようにしても良い。
【０１２１】
また、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１２２】
なお、図１に示す撮像装置２０では、撮影部２２の撮像素子等で撮影した画像信号を、撮像装置２０内の信号処理手段（各変換部２３〜２６）で処理する構成となっている。
この他に、例えば図１の撮影部２２だけで撮像装置を構成し、信号処理手段を撮像装置の外部に設けて、撮像装置で撮影した画像を外部の信号処理手段で処理する構成としてもよい。
【０１２３】
本実施の形態では、ｘｖＹＣＣ規格を採用して、画像表示装置４０に画像を表示することにより、表示できる色の範囲が広がるため、華やかな色彩を持つ花や蝶、透き通るような青空、マリンブルーの海、若葉を通した木漏れ日、美しい夕焼け等、従来のディスプレイの制約を超えた、より高いリアリティを持つ映像表現が可能となる。
【０１２４】
続いて、本実施の形態において、図３の広色域信号表示機構５３によって表示される、広色域の信号の有無の表示の具体的な形態を、以下にいくつか示す。
【０１２５】
まず、広色域の信号の有無の表示の一形態を、図６Ａ及び図６Ｂに示す。
本形態では、画像中の一点（一画素）における広色域の信号の有無を、図６Ａ及び図６Ｂに示すように、棒グラフで示している。そして、従来のＢＴ．７０９（又はＢＴ．６０１）の色域内に入る色信号はプラスとして、従来の色域より広い色域の色信号はマイナスとして、プラスの色信号は中央の破線より上側に、マイナスの色信号は中央の破線より下側に、それぞれ表示している。棒の長さは、従来の色域の境界線からの距離に対応して変化する。
図６Ａ及び図６Ｂでは、赤Ｒの色信号がマイナスであり、従来の色域外となっている。一方、緑Ｇ及び青Ｂの色信号がプラスであり、従来の色域内となっている。
そして、このような表示を、例えば、図６Ａに示すように、画像１２と同時に表示画面１０に表示する。図６Ａでは、画像１２を表示画面１０よりも縮小して、画像１２の下側に広色域の信号の有無の表示１１を配置している。
本形態では、広色域の信号の有無の表示１１を画像１２と同時に表示するので、広色域の信号の有無をリアルタイムで表示することが可能である。
また、赤Ｒ、緑Ｇ、青Ｂについて、それぞれ棒グラフで表示しているので、どの色が広色域となっているかも容易にわかる。
【０１２６】
次に、広色域の信号の有無の表示の他の形態を、図７Ａ及び図７Ｂに示す。
本形態では、図７Ａに示す画像１２内の水平方向のラインＬ上を走査して、図７Ｂに示すように、そのラインＬ上における各色の信号の変化を波形で表示している。図７Ｂ中の破線は、図６Ａ及び図６Ｂの破線と同じく、従来のＢＴ．７０９の色域の境界を示している。
本形態の表示も、図６Ａに示したと同様に、広色域の信号の有無の表示を画像１２と同時に表示画面に表示することが可能であり、リアルタイムで表示することが可能である。
また、赤Ｒ、緑Ｇ、青Ｂについて、それぞれ波形で表示しているので、どの色が広色域となっているかも容易にわかる。
【０１２７】
次に、広色域の信号の有無の表示のさらに他の形態を、図８に示す。
本形態では、画像中の一点（一画素）の色度点を、ｘｙ色度図上にｓＲＧＢの枠と共に表示している。
例えば、図６Ａ及び図６Ｂに示したように、赤の色が色域外である場合には、図８に大きい●印（Ａ）で示すように、ｘｙ色度図上でｓＲＧＢのＲの外にその物体色の色度点がプロットされる。他の色が色域外である場合にも、同様に色度点がプロットされる。
本形態の表示も、図６Ａに示したと同様に、画像と同時に表示画面に表示することが可能であり、リアルタイムで表示することが可能である。
また、ｘｙ色度図上の点でｓＲＧＢの枠と共に示しているので、どの色が広色域となっているかも容易にわかる。
【０１２８】
この他にも、広色域の信号の有無の表示は、様々な形態が考えられる。
表示する位置、表示するタイミング、表示方法について、それぞれ様々な形態がある。
【０１２９】
表示する位置やタイミングとしては、図６Ａのように画像の表示領域を狭めて表示画面の余白（画像の表示領域とは別の表示領域）に表示する形態の他にも、テレビジョン受像機のチャンネル表示のように画像と重ねて表示する形態や、リモコンやボタン等の入力で画像の表示と画面を切り替えて広色域信号の有無を表示する形態が考えられる。
【０１３０】
表示方法としては、画像内の広色域の信号の部分（画素）を、他の部分とは異なる表示とする、即ち例えば、点滅させたり、網掛けやハッチングを付与させたりする方法、画像内に広色域の信号がある場合に表示画面の外にあるランプ（発光ダイオードや電球、インジケーター等）を点灯させる方法、等々が考えられる。
ランプを点灯させる場合において、さらに、赤Ｒ・緑Ｇ・青Ｂでそれぞれランプを設けて表示させてもよく、そのように構成すると、どの色が広色域となっているかも容易にわかる。
【０１３１】
上述の本実施の形態によれば、画像表示装置４０に設けられた広色域信号検出部５１によって広色域信号の有無を判別して、広色域信号表示機構５３によって広色域信号の有無を表示することができるため、１台の画像表示装置４０において、簡単に広色域画像と通常の画像とを見分けることができる。
なお、画像は、静止画でも動画でもどちらでも適用可能である。
【０１３２】
そして、特に、広色域信号表示機構５３によって広色域信号の有無を、画像と同時に表示することにより、リアルタイムで広色域信号の有無を知ることができる。
【０１３３】
また、広色域信号の有無の表示に、さらに赤Ｒ・緑Ｇ・青Ｂの各色の成分も表示するように構成することにより、どの色が広色域となっているかも容易にわかる。
成分の表示のしかたは、図６の形態や図７の形態のように各色の成分の大きさを表示する方法と、図８の形態（ｘｙ色度図）のように各色の成分の比率を表示する方法とがある。
【０１３４】
上述の実施の形態では、広色域信号の有無やどの色が広色域となっているかを表示する構成であったが、この構成をさらに応用することも考えられる。
例えば、表示を見て、Ｒ，Ｇ，Ｂの割合を変化させて調整するように構成することも可能である。より具体的には、リモコンやボタンの入力により、Ｒ，Ｇ，Ｂの割合の変更を入力して、入力内容に応じて、画像を補正する。このような構成とするには、入力内容をフィードバックして画像信号を補正する回路を設けたり、そのように実行するソフトウェア等を具備させたりすればよい。
また、例えば、画像を作製するソフトウェアに適用して、作製している画像が広色域の画像であることや、その画素が広色域のどの辺りの領域にあるかを確認しながら、画像を作製できるようにしてもよい。
【０１３５】
本発明は、上述の実施の形態に限定されるものではなく、本発明の要旨を逸脱しない範囲でその他様々な構成が取り得る。
【図面の簡単な説明】
【０１３６】
【図１】本発明の一実施の形態のシステムにおける撮像装置の構成を示すブロック図である。
【図２】図１の撮像装置における撮影記録処理を説明するフローチャートである。
【図３】本発明の一実施の形態のシステムにおける画像表示装置の構成を示すブロック図である。
【図４】図３の画像表示装置における画像表示処理を説明するフローチャートである。
【図５】図３の画像表示装置における広色域信号表示処理を説明するフローチャートである。
【図６】Ａ、Ｂ  広色域の信号の有無の表示の一形態を示す図である。
【図７】Ａ、Ｂ  広色域の信号の有無の表示の他の形態を示す図である。
【図８】広色域の信号の有無の表示のさらに他の形態を示す図である。
【図９】Ａ  従来のＢＴ．７０９規格の光電変換特性を示す図である。  Ｂ  本発明の一実施の形態における光電変換特性を示す図である。
【図１０】負の値の色信号の概念を説明するｘｙ色度図である。
【図１１】ｘｖＹＣＣ規格及び従来の規格のそれぞれの色空間を二次元で表現した図である。
【符号の説明】
【０１３７】
１０  表示画面、１１  広色域信号の有無の表示、１２  画像、２０  撮像装置、２１  操作部、２２  撮影部、２３  Ａ／Ｄ変換部、２４，４４  原色変換部、２５，４５  色信号補正部、２６  光電変換部、２７  補正部、２８  エンコーダ、２９  制御部、３０  記録部、３１  通信部、４０  画像表示装置、４１  画像信号入力部、４２  輝度・色差信号変換部、４３  逆光電変換部、４６  固有γ特性補正部、４７  Ｄ／Ａ変換部、４８  表示機構、５１  広色域信号検出部、５３  広色域信号表示機構
【図１】
2007286120.tif 000006
【図２】
2007286120.tif 000007
【図３】
2007286120.tif 000008
【図４】
2007286120.tif 000009
【図５】
2007286120.tif 000010
【図７】
2007286120.tif 000011
【図８】
2007286120.tif 000012
【図９】
2007286120.tif 000013
【図１０】
2007286120.tif 000014
【図１１】
2007286120.tif 000015
【図６】
2007286120.tif 000016